(57)【要約】【課題】便鉢部の外側に洗浄水の飛沫が飛散することが抑制された水洗式便器を提供する。【解決手段】水洗式便器１０は、溜水部２４を有する便鉢部２０を備える。便鉢部２０は、溜水部２４より上方に設けられ、便鉢部２０の内周縁部を旋回する洗浄水が流れる導水路２５と、便鉢部２０の中央側に向けて突出し、導水路２５の上方を覆うオーバーハング部２７と、を有する。オーバーハング部２７は、便鉢部２０の前方領域２０Ａにおける突出量Ｗが便鉢部２０の側方領域２０Ｂにおける突出量Ｗより小さいことと、便鉢部２０の側方領域２０Ｂに設けられるとともに便鉢部２０の前方領域２０Ａに設けられないことの一方を満たす。導水路２５は、便鉢部２０の前方領域２０Ａにおいて、便鉢部２０の内周縁部を旋回する洗浄水の飛沫を低減する飛沫低減形状を有する。【選択図】図５Ａ
2020200606.tif 000002
【特許請求の範囲】
【請求項１】
溜水部を有する便鉢部を備え、
前記便鉢部は、
前記溜水部より上方に設けられ、前記便鉢部の内周縁部を旋回する洗浄水が流れる導水路と、
前記便鉢部の中央側に向けて突出し、前記導水路の上方を覆うオーバーハング部と、を有し、
前記オーバーハング部は、前記便鉢部の前方領域における突出量が前記便鉢部の側方領域における突出量より小さいことと、前記便鉢部の側方領域に設けられるとともに前記便鉢部の前方領域に設けられないことの一方を満たし、
前記導水路は、前記便鉢部の前記前方領域において、前記便鉢部の内周縁部を旋回する洗浄水の飛沫を低減する飛沫低減形状を有する水洗式便器。
【請求項２】
前記導水路は、立ち面と、前記立ち面の下端から前記溜水部に向けて下り傾斜した傾斜面と、を有する請求項１に記載の水洗式便器。
【請求項３】
前記飛沫低減形状は、前記傾斜面の前記溜水部に向けた傾斜角度が前記側方領域における前記傾斜角度より大きい部分を含む請求項２に記載の水洗式便器。
【請求項４】
前記飛沫低減形状は、前記便鉢部の上端から前記立ち面の下端までの深さが前記側方領域における前記深さより大きい部分を含む請求項２から請求項３のいずれか１項に記載の水洗式便器。
【請求項５】
前記立ち面は、前記便鉢部の前記前方領域において、平面視における曲率半径が略一定な構成である請求項２から請求項４のいずれか１項に記載の水洗式便器。
【請求項６】
前記傾斜面は、前記溜水部に向けた傾斜角度が前記便鉢部の前記前方領域において前記便鉢部の後方領域よりも大きく、かつ、前記後方領域において前記側方領域よりも大きい請求項２から請求項５のいずれか１項に記載の水洗式便器。
【請求項７】
前記オーバーハング部は、前記突出量が前記便鉢部の前記前方領域において前記便鉢部の後方領域よりも小さく、かつ、前記後方領域において前記側方領域よりも小さい請求項１から請求項６のいずれか１項に記載の水洗式便器。
【発明の詳細な説明】
【技術分野】
【０００１】
本開示は水洗式便器に関するものである。
【背景技術】
【０００２】
特許文献１は従来の水洗式便器を開示している。この水洗式便器は、便鉢部を備えている。便鉢部は上部周縁部に形成したリム通水路を有している。リム通水路は、便鉢部の中央側に緩やかに傾斜した棚部と、棚部に連続して外周側に立ちあがった側壁部と、側壁部の上端部から内側に延びて上方に張り出した庇部とを有している。リム通水路に洗浄水が流れる際、側壁部及び庇部よって洗浄水が外側に飛散することを防止することができる。
【先行技術文献】
【特許文献】
【０００３】
【特許文献１】特開２０１２−２０２１４３号公報
【発明の概要】
【発明が解決しようとする課題】
【０００４】
特許文献１の水洗式便器は、便鉢部の各領域における、庇部の突出量とリム通水路の形状の関係については不明である。この水洗式便器は、洗浄水が便鉢部の外側に飛散することを抑制するという観点において、これらの関係を検討する余地がある。
【０００５】
本開示は、便鉢部の外側に洗浄水の飛沫が飛散することが抑制された水洗式便器を提供することを解決すべき課題としている。
【課題を解決するための手段】
【０００６】
本開示の水洗式便器は、溜水部を有する便鉢部を備え、前記便鉢部は、前記溜水部より上方に設けられ、前記便鉢部の内周縁部を旋回する洗浄水が流れる導水路と、前記便鉢部の中央側に向けて突出し、前記導水路の上方を覆うオーバーハング部と、を有し、前記オーバーハング部は、前記便鉢部の前方領域における突出量が前記便鉢部の側方領域における突出量より小さいことと、前記便鉢部の側方領域に設けられるとともに前記便鉢部の前方領域に設けられないことの一方を満たし、前記導水路は、前記便鉢部の前記前方領域において、前記便鉢部の内周縁部を旋回する洗浄水の飛沫を低減する飛沫低減形状を有する。
【図面の簡単な説明】
【０００７】
【図１】実施形態１の便座装置が取り付けられた状態の水洗式便器の斜視図である。
【図２】実施形態１の水洗式便器の上面図である。
【図３】図２の矢視ＩＩＩ−ＩＩＩ断面図である。
【図４】図２の矢視ＩＶ−ＩＶ断面図である。
【図５Ａ】図２の矢視Ａ−Ａ断面図であり、便鉢部の前方領域における導水路及びオーバーハング部の断面図である。
【図５Ｂ】図２の矢視Ｂ−Ｂ断面図であり、便鉢部の側方領域における導水路及びオーバーハング部の断面図である。
【図５Ｃ】図２の矢視Ｃ−Ｃ断面図であり、便鉢部の後方領域における導水路及びオーバーハング部の断面図である。
【図６】実施形態１の水洗式便器を後斜め上方から視た、便座部の前方領域における洗浄水の流れを説明するための説明図である。
【図７】他の実施形態の水洗式便器の断面図である。
【発明を実施するための形態】
【０００８】
本開示の水洗式便器を具体化した実施形態１について、図面を参照しつつ説明する。以下の説明において、水洗式便器を正面から視て、手前側が前方、奥側が後方である。左右方向及び上下方向は、水洗式便器を正面から視た左右方向及び上下方向である。図２の左側が左側、右側が右側である。図３の右側が前方、左側が後方であり、図３の上方が上方、下方が下方である。
【０００９】
＜実施形態１＞
実施形態１の水洗式便器１０は、図１に示すように、壁面１００に取り付けられる。水洗式便器１０は、上方に便座装置９０が取り付けられている。便座装置９０は、機能部品であり、機能部９１及び便座部９３を備えている。機能部９１は内部に図示しない局部洗浄機構や脱臭機構等が収納されている。また、機能部９１は便座部９３を起立状態と倒伏状態に回動自在に軸支している。図１においては、便座部９３の倒伏状態を示す。便座部９３は倒伏状態で便鉢部２０の上方に位置する。
【００１０】
水洗式便器１０は、図２及び図３に示すように、便鉢部２０、給水路５０、排水路６０、上面部７０、及び側壁部８０を備えている。便鉢部２０は上方に開口している。便鉢部２０の開口は、上方から見た平面視において、前後方向に長い長円形状である。以下の説明では、便鉢部２０の前後方向において、後述する立ち面２５Ａ下端における前端位置と後端位置の間を４等分した場合に前側の１／４の領域を便鉢部２０の前方領域２０Ａと称する。
【００１１】
便鉢部２０は、鉢面２１、凹部２３、導水路２５、オーバーハング部２７、第１吐水口２９、第２吐水口（吐水口）３０、及びガイド部４０を有している。鉢面２１は、すり鉢状に形成されている。鉢面２１は、便鉢部２０の後方において前方領域２０Ａより凹部２３に向かう傾斜角度が大きくなっている。鉢面２１で受け止められた汚物は、鉢面２１に沿って旋回しつつ流下する洗浄水とともに、凹部２３と排水路６０を通って排出される。
【００１２】
凹部２３は、鉢面２１の下方に形成されている。凹部２３は、便鉢部２０の後方寄りに配され、排水路６０に連なっている。凹部２３は洗浄水を貯留する溜水部２４を有している。凹部２３は、鉢面２１から連続して設けられている。凹部２３の前壁は、鉢面２１の下端から下方に向けて屈曲する形で垂下する。凹部２３の後壁は、鉢面２１から傾斜角度が徐々に大きくなる形で垂下する。
【００１３】
導水路２５は、図３及び図４に示すように、便鉢部２０内を旋回する洗浄水が流れるように構成される。導水路２５は、便鉢部２０の内周縁部に、略全周に亘って形成されている。導水路２５は、立ち面２５Ａと、立ち面２５Ａの下端から溜水部２４に向けて下り傾斜した傾斜面２５Ｂと、を有している。立ち面２５Ａは、導水路２５の外周側において上下方向に立ち上がる面である。立ち面２５Ａは、便鉢部２０内を旋回する洗浄水を案内する。立ち面２５Ａは、便鉢部２０の前方領域２０Ａにおいて、平面視における曲率半径が略一定な構成である（図２参照）。本願において、「曲率半径が略一定」とは、例えば便鉢部２０の前方領域２０Ａ全体における曲率半径の変化が２０％以内であるものとする。傾斜面２５Ｂは、便鉢部２０の左右及び後方では棚面２６によって構成され、便鉢部２０の前方では鉢面２１によって構成される。棚面２６は、鉢面２１より溜水部２４側に向かう傾斜角度が小さく、溜水部２４側に向かうにつれて緩やかに下方に傾斜して延びている。傾斜面２５Ｂにおいて、棚面２６と鉢面２１とは溜水部２４側に向かう傾斜角度が徐々に変化する形で連続的に形成されている。
【００１４】
オーバーハング部２７は、便鉢部２０の開口縁に、略全周に亘って形成されている。オーバーハング部２７は、便鉢部２０の中央側に向けて突出し、導水路２５の上方を覆う。オーバーハング部２７は、洗浄水等が便鉢部２０の外側に向かうことを抑制する。本実施形態において、「便鉢部２０の中央」は、便鉢部２０の開口の中心である。
【００１５】
第１吐水口２９及び第２吐水口３０は、図２に示すように、それぞれ立ち面２５Ａに開口する。第１吐水口２９は、便鉢部２０の左側に位置し、第２吐水口３０は、便鉢部２０の右側に位置する。第１吐水口２９は、便鉢部２０の前後方向の中間部において、左側の上部に形成されている。第１吐水口２９は、給水路５０の第１吐水流路５５の下流端に位置し、前方に向けて開口する。第１吐水口２９は、前側に向けて便鉢部２０内を旋回する洗浄水を吐水する。第２吐水口３０は、便鉢部２０の後方において、右側の上部に形成されている。第２吐水口３０は、給水路５０の第２吐水流路５７の下流端に位置し、左方向に向けて開口する。第２吐水口３０は、左後方及び左側に向けて洗浄水を吐水する。この洗浄水の一部は、便鉢部２０内を旋回して流れてきた洗浄水と同じ方向に向けて吐水される。第２吐水口３０は、便鉢部２０内を旋回する洗浄水の流れの下流端部に位置している。本願において、「便鉢部２０内を旋回する洗浄水の流れの下流端部」とは、便鉢部２０内を旋回して流れてきた洗浄水の少なくとも一部について、流れる方向が変更されて、旋回方向に向けて流れなくなる位置を意味する。
【００１６】
給水路５０は、図２及び図３に示すように、水洗式便器１０の左右中央の後方上部に配され、上流端の流入口５１が後方に向けて開口している。給水路５０の流入口５１は、図示しない連結部材によって、壁面１００に引き出された洗浄水の供給管１０１に洗浄水が漏出しないように水密状に連結される。この給水路５０は、上流端から前方に延びた導入流路５３と、導入流路５３の下流端で分岐された第１吐水流路５５と第２吐水流路５７とを有している。第１吐水流路５５は、便鉢部２０の後方から左方に向かって前方向に延びている。第１吐水流路５５の下流端は第１吐水口２９に連通している。第２吐水流路５７は、便鉢部２０の後方から右方に向かって、右端部で折り返されている。第２吐水流路５７の下流端は第２吐水口３０に連通している。
【００１７】
排水路６０は、上流端が凹部２３の底面に開口する流入口６１に連通する。また、排水路６０は、後側下方に向けて延びる導入流路６３と、導入流路６３の下流端に連続して後側上方に向けて延びる上昇流路６５と、上昇流路６５の下流端に連続して後側下方に向けて延びるとともに排水管１０３に連結される下降流路６７を有している。下降流路６７の下流端は後方に開口しており、図示しない接続部材等を介して、壁面１００に引き出された排水管１０３に排水が漏出しないように水密状に連結される。
【００１８】
上面部７０は、図２に示すように、便鉢部２０の上端縁部から前方、両側方に広がるリム部７１と、便鉢部２０の上端縁部から後方に広がる後面部７３とを有している。リム部７１は、平面視Ｕ字型をなし、倒伏状態の便座部９３が載置される。後面部７３は、平面視矩形状をなし、上方に機能部９１が載置される。
【００１９】
側壁部８０は、図３及び図４に示すように、便鉢部２０と排水路６０とを囲むように、上面部７０の外周縁から垂下し前端部から左右側方に連続している。排水路６０の下端部が僅かに側壁部８０の下端縁より下方に位置している。つまり、この水洗式便器１０は、側壁部８０が前面から左右側面にかけて連続的に湾曲した曲面によって形成されているため、便鉢部２０と排水路６０のほとんどが外側から視認することができない。
【００２０】
続いて、便鉢部２０の各領域における導水路２５及びオーバーハング部２７との構成について図５Ａ、図５Ｂ、及び図５Ｃを参照しつつ説明する。図５Ａ、図５Ｂ、及び図５Ｃは、便鉢部２０の中央を通る鉛直面で切断して視た便鉢部２０の一部断面図である。便鉢部２０の側方領域２０Ｂは、図５Ｂに示すように、前方領域２０Ａより便鉢部２０内を旋回する洗浄水の流れの下流側であって、便鉢部２０の側方に位置する領域である。この側方領域２０Ｂは、立ち面２５Ａの位置が最も右側に位置する部位とその近傍を含む領域とする。便鉢部２０の後方領域２０Ｃは、図５Ｃに示すように、便鉢部２０の後方に位置する領域である。この後方領域２０Ｃは、立ち面２５Ａの位置が最も後側に位置する部位とその近傍を含む領域とする。
【００２１】
導水路２５において、立ち面２５Ａと傾斜面２５Ｂの間の角部の位置を位置Ｐ１とし、立ち面２５Ａとオーバーハング部２７の下面の間の角部の位置を位置Ｐ２とする。角部がＲ形状をなす場合には、Ｒ面の中央位置を角部の位置として特定する。この立ち面２５Ａと傾斜面２５Ｂの間の角部の位置Ｐ１は、立ち面２５Ａの下端の位置に相当する。
【００２２】
オーバーハング部２７の突出量Ｗは、水平方向において、オーバーハング部２７の先端２７Ａが、傾斜面２５Ｂと立ち面２５Ａの間の角部の位置Ｐ１から便鉢部２０の中央側に突出した寸法とする。すなわち、オーバーハング部２７の突出量Ｗは、オーバーハング部２７が傾斜面２５Ｂを覆う幅の寸法とされる。
【００２３】
便鉢部２０の上端から立ち面２５Ａの下端までの深さＤは、上面部７０から、傾斜面２５Ｂと立ち面２５Ａの間の角部の位置Ｐ１までの深さ寸法とする。この深さ寸法は、便鉢部２０の中央を通る鉛直面で切断して視た便鉢部２０の断面において、上面部７０における便鉢部２０の中央側の端部の位置を便鉢部２０の上端として算出する。
【００２４】
立ち面２５Ａの高さＨは、立ち面２５Ａの下端に位置する角部の位置Ｐ１と、立ち面２５Ａの上端に位置する角部の位置Ｐ２の間の鉛直方向における寸法とする。
【００２５】
傾斜面２５Ｂの溜水部２４に向けた傾斜角度θは、傾斜面２５Ｂと立ち面２５Ａの間の角部の位置Ｐ１を含む水平面と、傾斜面２５Ｂとの間の角度とする。
【００２６】
オーバーハング部２７は、便鉢部２０の前方領域２０Ａにおける突出量Ｗが便鉢部２０の側方領域２０Ｂにおける突出量Ｗより小さい。オーバーハング部２７の突出量Ｗは、前方領域２０Ａにおいて後方領域２０Ｃより小さい。この突出量Ｗは、後方領域２０Ｃにおいて側方領域２０Ｂより小さい。オーバーハング部２７の突出量Ｗは、前方領域２０Ａで最小となり、側方領域２０Ｂで最大となる。オーバーハング部２７の突出量Ｗが小さいと、前方領域２０Ａにおいてリム部７１の幅を小さくすることができる。また、オーバーハング部２７の突出量Ｗが小さいことにより、前方領域２０Ａにおいて導水路２５の清掃性が良好となる。このオーバーハング部２７の突出量Ｗは、立ち面２５Ａに第１吐水口２９及び第２吐水口３０が設けられていない領域においては徐々に変化する。つまり、オーバーハング部２７の突出量Ｗは、前方領域２０Ａから側方領域２０Ｂに向かうにつれて徐々に大きくなる。立ち面２５Ａは、側方領域２０Ｂの後側からガイド部４０にかけて、後方に向かうにつれて左側に向けて傾斜する形をなしている。このため、オーバーハング部２７の突出量Ｗは、立ち面２５Ａが左側に傾斜するのに伴って、後方に向かうにつれて小さくなる。
【００２７】
便鉢部２０の上端から立ち面２５Ａの下端までの深さＤは、前方領域２０Ａにおいて側方領域２０Ｂより大きい。この深さＤは、前方領域２０Ａにおいて後方領域２０Ｃより大きい。この深さＤは、便鉢部２０の側方領域２０Ｂと後方領域２０Ｃにおいて同等とされる。便鉢部２０の上端から立ち面２５Ａの下端までの深さＤは、便鉢部２０の周方向において徐々に変化する。便鉢部２０の上面は、略水平な面とされる。導水路２５を流れる洗浄水は、便鉢部２０の領域２０Ｂ，２０Ｃでは略同じ高さを流れ、便鉢部２０の前方領域２０Ａでは、他の領域２０Ｂ，２０Ｃより低い高さを流れることになる。便鉢部２０の各領域２０Ａ，２０Ｂ，２０Ｃと、立ち面２５Ａの高さＨとの関係は、便鉢部２０の各領域２０Ａ，２０Ｂ，２０Ｃと深さＤとの関係と概ね同様とされる。つまり、立ち面２５Ａの高さＨは、前方領域２０Ａにおいて側方領域２０Ｂより大きく、また、前方領域２０Ａにおいて後方領域２０Ｃより大きい。
【００２８】
傾斜面２５Ｂの溜水部２４に向けた傾斜角度θは、前方領域２０Ａにおいて後方領域２０Ｃより大きい。この傾斜角度θは、後方領域２０Ｃにおいて側方領域２０Ｂより大きい。傾斜面２５Ｂの溜水部２４に向けた傾斜角度θは、便鉢部２０の周方向において徐々に変化する。傾斜角度θは、前方領域２０Ａにおいて、左側から左右方向中央に向かうにつれて大きくなり、左右方向中央から右側に向かうにつれて小さくなる。傾斜角度θは、前方領域２０Ａで最大となり、前方領域２０Ａから側方領域２０Ｂに向かうにつれて小さくなって、側方領域２０Ｂで最小となる。傾斜角度θは、便鉢部２０の左側では右側と同等とされる。
【００２９】
導水路２５は、便鉢部２０の前方領域２０Ａにおいて、便鉢部２０内を旋回する洗浄水の飛沫を低減する飛沫低減形状を有する。飛沫低減形状は、前方領域２０Ａの左右方向中央に向かうにつれて傾斜面２５Ｂが下方に凹むとともに、後方に向かうにつれて下方に傾斜する凹曲面状の部分２５Ｃを含んで構成されている（図６参照）。この部分２５Ｃは、傾斜面２５Ｂの溜水部２４に向けた傾斜角度θが側方領域２０Ｂにおける傾斜角度θより大きい部分とされる。また、この部分２５Ｃは、便鉢部２０の上端から立ち面２５Ａの下端までの深さＤが側方領域２０Ｂにおける深さＤより大きい部分とされる。飛沫低減形状は、この部分２５Ｃの形状に限られず、上述した立ち面２５Ａの曲率半径が略一定とされる構成等を含んだ導水路２５の全体的な形状とされる。
【００３０】
次に、このような構成を有する水洗式便器１０の便器洗浄を実行した際の洗浄水の流れ方を説明する。
【００３１】
この水洗式便器１０は、図示しないリモートコントローラに設けた便器洗浄スイッチを操作すると、給水路５０を介して第１吐水口２９及び第２吐水口３０から吐水する。これによって、この水洗式便器１０は便器洗浄を実行する。
【００３２】
第１吐水口２９から吐水した洗浄水は、図２に示すように、便鉢部２０の導水路２５に沿って便鉢部２０内を反時計回りに旋回して流れる。この際、洗浄水の一部は、傾斜面２５Ｂの傾斜によって凹部２３へ向けて流下する。立ち面２５Ａは、便鉢部２０の前方領域２０Ａにおいて、平面視における曲率半径が略一定な構成である。このため、立ち面２５Ａに案内されつつ旋回する洗浄水は、例えば、便鉢部の前端に向かって曲率半径が小さくなる立ち面を有する場合に比して、便鉢部２０の前方領域２０Ａでスムーズに旋回する。図６に示すように、便鉢部２０の前方領域２０Ａを流れる洗浄水は、凹曲面状の部分２５Ｃにおいて傾斜面２５Ｂの溜水部２４に向かう傾斜角度θが大きくなることにより、溜水部２４側に流下する水量が多くなる。このため、前方領域２０Ａにおいて、導水路２５を流れる洗浄水が立ち面２５Ａに衝突して生じる飛沫が低減される。また、便鉢部２０の前方領域２０Ａを流れる洗浄水は、凹曲面状の部分２５Ｃにおいて便鉢部２０の上端から立ち面２５Ａの下端までの深さＤが大きくなることにより、洗浄水が流れる位置が便鉢部２０の上端から下方に離れた位置とされる。このため、前方領域２０Ａにおいて、生じた飛沫が便鉢部２０の上面まで届きにくくなっている。これらの作用の相乗効果により、前方領域２０Ａに部分２５Ｃが形成されない構成に比して、前方領域２０Ａにおける飛沫が低減される。このようにして、前方領域２０Ａを通過した洗浄水は、側方領域２０Ｂに向かって流れる。
【００３３】
側方領域２０Ｂにおいては、オーバーハング部２７の突出量Ｗが大きいから、洗浄水の飛沫が生じた場合であっても、飛沫がオーバーハング部２７の下面に付着する。オーバーハング部２７の下面に付着した飛沫は、下方に流下して便鉢部２０内に落ちる。側方領域２０Ｂを通過して、左後方に向けて流れる洗浄水は、ガイド部４０に衝突する（図２参照）。すると、洗浄水の主流の流れる方向が、衝突により左側に向かう方向に変化する。このガイド部４０もオーバーハング部２７の下方に設けられている。ガイド部４０に衝突した洗浄水の主流は、ガイド部４０の突出方向に沿って左側に向けて案内される。ガイド部４０の突出端面まで案内された洗浄水は、棚面２６及び鉢面２１の傾斜によって凹部２３の後方領域２３Ｂに向けて流下して、凹部２３に導入される。つまり、ガイド部４０は、第１吐水口２９から吐水され、便鉢部２０内を旋回する洗浄水の下流端において、凹部２３の後方領域２３Ｂに向かう洗浄水の流れを形成する。
【００３４】
第２吐水口３０から左側やや後方に向かって吐出された洗浄水の一部は、棚面２６に沿って旋回して、凹部２３の前方領域に流下する。また、第２吐水口３０から左側やや後方に向かって吐出された洗浄水の一部は、棚面２６及び鉢面２１の傾斜によって凹部２３の後方領域２３Ｂに向けて流下する。凹部２３に流入した洗浄水は、排水路６０の流入口６１に向けた流れを形成し、排水路６０の流入口６１に向けて汚物等を押し込むような洗浄水の流れを形成する。つまり、この水洗式便器１０は第１吐水口２９及び第２吐水口３０から吐水する洗浄水の水量を少なくしても、汚物等の排出を良好に行うことができる。
【００３５】
以上説明したように、本実施形態の水洗式便器１０は、溜水部２４を有する便鉢部２０を備える。便鉢部２０は、溜水部２４より上方に設けられ、便鉢部２０の内周縁部を旋回する洗浄水が流れる導水路２５と、便鉢部２０の中央側に向けて突出し、導水路２５の上方を覆うオーバーハング部２７と、を有する。オーバーハング部２７は、便鉢部２０の前方領域２０Ａにおける突出量Ｗが便鉢部２０の側方領域２０Ｂにおける突出量Ｗより小さいことを満たす。導水路２５は、便鉢部２０の前方領域２０Ａにおいて、便鉢部２０の内周縁部を旋回する洗浄水の飛沫を低減する飛沫低減形状を有する。
【００３６】
この水洗式便器１０によれば、便鉢部２０の側方領域２０Ｂにおいては、オーバーハング部２７の突出量Ｗを確保することにより、便鉢部２０の外側に洗浄水の飛沫が飛散することを抑制できる。そのうえで、便鉢部２０の前方領域２０Ａにおいては、導水路２５が飛沫低減形状を有することにより、オーバーハング部２７の突出量Ｗが小さい構成であっても、便鉢部２０の外側に洗浄水の飛沫が飛散することを抑制できる。これらの結果、便鉢部２０の外側に洗浄水の飛沫が飛散することが抑制された水洗式便器１０を提供することができる。
【００３７】
本実施形態では、導水路２５は、立ち面２５Ａと、立ち面２５Ａの下端から溜水部２４に向けて下り傾斜した傾斜面２５Ｂと、を有し、上記飛沫低減形状は、傾斜面２５Ｂの溜水部２４に向けた傾斜角度θが側方領域２０Ｂにおける傾斜角度θより大きい部分２５Ｃを含む。この構成によれば、前方領域２０Ａにおいて、溜水部２４側に流下する水量が多くなり、飛沫を生じ難くすることができる。
【００３８】
本実施形態では、導水路２５は、立ち面２５Ａと、立ち面２５Ａの下端から溜水部２４に向けて下り傾斜した傾斜面２５Ｂと、を有し、上記飛沫低減形状は、便鉢部２０の上端から立ち面２５Ａの下端までの深さＤが側方領域２０Ｂにおける深さＤより大きい部分２５Ｃを含む。この構成によれば、前方領域２０Ａにおいて、洗浄水が流通する位置を便鉢部２０の上端から下方に離れた位置とすることができ、生じた飛沫が便鉢部２０の上面まで届きにくい。
【００３９】
本実施形態では、立ち面２５Ａは、便鉢部２０の前方領域２０Ａにおいて、平面視における曲率半径が略一定な構成である。この構成によれば、便鉢部２０の前方領域２０Ａにおいては便鉢部２０内を旋回する洗浄水がスムーズに旋回するから、便鉢部２０の前方領域２０Ａにおいて洗浄水の飛沫が飛散することを抑制できる。
【００４０】
本実施形態では、導水路２５は、立ち面２５Ａと、立ち面２５Ａの下端から溜水部２４に向けて下り傾斜した傾斜面２５Ｂと、を有し、傾斜面２５Ｂは、溜水部２４に向けた傾斜角度θが便鉢部２０の前方領域２０Ａにおいて便鉢部２０の後方領域２０Ｃより大きく、かつ、後方領域２０Ｃにおいて側方領域２０Ｂより大きい。上記構成によれば、後方領域２０Ｃにおける傾斜面２５Ｂの傾斜角度θが便鉢部２０の前方領域２０Ａより小さく、側方領域２０Ｂより大きいから、便鉢部２０の後方領域２０Ｃにおいて傾斜面２５Ｂから流下する洗浄水の流量と、傾斜面２５Ｂ上を旋回する洗浄水の流量のバランスをとることができる。
【００４１】
本実施形態では、オーバーハング部２７は、突出量Ｗが便鉢部２０の前方領域２０Ａにおいて便鉢部２０の後方領域２０Ｃより小さく、かつ、後方領域２０Ｃにおいて側方領域２０Ｂより小さい。上記構成によれば、前方領域２０Ａより後方領域２０Ｃの方がオーバーハング部２７の突出量Ｗが大きいから、オーバーハング部２７により便鉢部２０の後方領域２０Ｃにおいて洗浄水の飛沫が飛散することを抑制できる。上記構成によれば、側方領域２０Ｂより後方領域２０Ｃの方がオーバーハング部２７の突出量Ｗが小さいから、後方領域２０Ｃにおける便鉢部２０の開口面積を確保することができる。便座装置９０等の機能部品が便鉢部２０の後方に取り付けられる構成では、後方領域２０Ｃにおいてオーバーハング部２７と機能部９１が干渉すること抑制できる。
【００４２】
本開示は上記記述及び図面によって説明した実施形態に限定されない。
【００４３】
（１）実施形態１とは異なり、便鉢部は第２吐水口を備えなくてもよい。便鉢部は更に別の吐水口を備えていてもよい。
【００４４】
（２）第１吐水口及び第２吐水口は、実施形態１とは異なる場所であって、便鉢部内に良好な洗浄水の流れを形成できる場所に形成してもよい。
【００４５】
（３）実施形態１とは異なり、棚面は便鉢部の前方に設けられていてもよい。その他にも、導水路の構成は適宜変更可能である。また、実施形態１以外にも、便鉢部の前方領域における導水路の飛沫低減形状は適宜設計可能である。
【００４６】
（４）実施形態１以外にも、導水路の飛沫低減形状は適宜設計可能である。飛沫低減形状は、傾斜面の溜水部に向けた傾斜角度が側方領域における傾斜角度より大きく、かつ、便鉢部の上端から立ち面の下端までの深さが側方領域における深さより大きい部分を含む構成以外であってもよい。例えば、飛沫抑制形状は、傾斜面の溜水部に向けた傾斜角度と、便鉢部の上端から立ち面の下端までの深さの一方のみが上記の関係を充足するものであってもよい。例えば、飛沫抑制形状は、傾斜面の溜水部に向けた傾斜角度と、便鉢部の上端から立ち面の下端までの深さの双方が上記の関係を充足しないものであってもよい。そのような飛沫抑制形状としては、立ち面の形状や、立ち面の立ち上がり角度を適宜設計したもの等が例示できる。
【００４７】
（５）実施形態１以外にも、便鉢部の各領域における、オーバーハング部の突出量、便鉢部の上端から立ち面の下端までの深さ、立ち面の高さ、及び傾斜面の溜水部に向けた傾斜角度は適宜設定可能である。
【００４８】
（６）実施形態１と異なり、側方領域は、立ち面の位置が最も左側に位置する部位とその近傍を含む領域としてもよい。例えば、実施形態１の第１吐水口より前側の位置を側方領域としてもよい。
（７）実施形態１と異なり、立ち面が上方に向かうにつれて内側に傾斜している構成と、立ち面が外側に凸となるように湾曲している構成では、オーバーハング部の突出量は、立ち面の一番外側に位置する部位からオーバーハング部の先端までの寸法とすることができる。この場合であっても、オーバーハングの突出量は、オーバーハング部が傾斜面を覆う幅の寸法とされる。
【００４９】
（８）実施形態１以外にも、図７に示すように、水洗式便器１１０は、オーバーハング部２７は便鉢部２０の側方領域２０Ｂに設けられるとともに便鉢部２０の前方領域２０Ａに設けられないことを満たしてもよい。この水洗式便器１１０によれば、便鉢部２０の側方領域２０Ｂにおいては、オーバーハング部２７が設けられることにより、便鉢部２０の外側に洗浄水の飛沫が飛散することを抑制できる。そのうえで、便鉢部２０の前方領域２０Ａにおいては、導水路２５が飛沫低減形状を有することにより、オーバーハング部２７が便鉢部２０の前方領域２０Ａに設けられない構成であっても、便鉢部２０の外側に洗浄水の飛沫が飛散することを抑制できる。これらの結果、便鉢部２０の外側に洗浄水の飛沫が飛散することが抑制された水洗式便器１１０を提供することができる。
【符号の説明】
【００５０】
１０…水洗式便器、２０…便鉢部、２０Ａ…前方領域、２０Ｂ…側方領域、２０Ｃ…後方領域、２４…溜水部、２５…導水路、２５Ａ…立ち面、２５Ｂ…傾斜面、２５Ｃ…部分、２７…オーバーハング部
【図１】
2020200606.tif 000003
【図２】
2020200606.tif 000004
【図３】
2020200606.tif 000005
【図４】
2020200606.tif 000006
【図５Ａ】
2020200606.tif 000007
【図５Ｂ】
2020200606.tif 000008
【図５Ｃ】
2020200606.tif 000009
【図６】
2020200606.tif 000010
【図７】
2020200606.tif 000011